(57)【要約】【課題】測定精度や分注精度を適確に維持しながら処理能力を向上させることができる自動分析装置の検体分注方法、自動分析装置、およびプログラムを提供する。【解決手段】検体と試薬とを反応させることによって前記検体の成分を分析する自動分析装置１において、細管状のプローブ１５１を用いて同一の検体を複数の異なる容器（反応容器５１）へ分注する場合、各分注動作の間にプローブ１５１の洗浄を行うことなくプローブ１５１による分注を連続して行う。【選択図】        図１
2007263752.tif 000002
【特許請求の範囲】
【請求項１】
検体と試薬とを反応させることによって前記検体の成分を分析する自動分析装置において、細管状のプローブを用いて前記検体を分注する自動分析装置の検体分注方法であって、
同一の検体を複数の異なる容器へ分注する場合、各分注動作の間に前記プローブの洗浄を行うことなく前記プローブによる分注を連続して行うことを特徴とする自動分析装置の検体分注方法。
【請求項２】
前記同一の検体を用いた一連の分注動作が終了した後、前記同一の検体がそれぞれ分注された前記複数の異なる容器内の液体に対する光学的な測定を一括して行うことを特徴とする請求項１記載の自動分析装置の検体分注方法。
【請求項３】
検体と試薬とを反応させることによって前記検体の成分を分析する自動分析装置において、
前記検体を分注する細管状のプローブを有し、同一の検体を複数の異なる容器へ分注する際、各分注動作の間に前記プローブの洗浄を受けることなく前記プローブによる分注を連続して行う検体分注手段を備えたことを特徴とする自動分析装置。
【請求項４】
前記検体分注手段による前記同一の検体を用いた一連の分注動作が終了した後、前記同一の検体がそれぞれ分注された前記複数の異なる容器内の液体に対する光学的な測定を一括して行う測光手段をさらに備えたことを特徴とする請求項３記載の自動分析装置。
【請求項５】
検体と試薬とを反応させることによって前記検体の成分を分析する自動分析装置に、請求項１または２に記載の自動分析装置の検体分注方法を実行させることを特徴とするプログラム。
【発明の詳細な説明】
【技術分野】
【０００１】
本発明は、検体と試薬とを反応させることによって前記検体の成分を分析する自動分析装置の検体分注方法、自動分析装置、およびプログラムに関する。
【背景技術】
【０００２】
検体と試薬とを反応させることによってその検体の成分を分析する自動分析装置では、検体容器に収容されている検体を所定の容器へ分注し、その容器内で検査項目に応じた試薬と混合し、反応を生じさせている。このような自動分析装置における検体の分注機構は、細管状のプローブを用いて構成するのが一般的である（例えば、特許文献１を参照）。
【０００３】
【特許文献１】特開２０００−１３７０３５号公報
【発明の開示】
【発明が解決しようとする課題】
【０００４】
上述した自動分析装置においては、より短時間でより多くの検体の分析を行うことが求められる。この要求に応えて自動分析装置の処理能力を向上させるため、例えば以下に説明する３つの方法が考えられる。
【０００５】
第１の方法として、検体の分注動作の周期を短くする方法が考えられる。しかしながらこの場合、分注動作の周期を短くするには測光時間や検体用のプローブの洗浄時間を短くしなければならず、測定精度を維持できなくなる恐れがあった。
【０００６】
第２の方法として、検体用のプローブを多連のプローブによって構成する方法が考えられる。ところがこの方法では、個々のプローブの分注精度のばらつきを抑制し、分注機構全体としての検体の分注精度を適確に維持することが困難であった。
【０００７】
第３の方法として、同一の検体に対して複数の検査を行う場合、それらの検査全体として必要な量の検体をプローブによって一括して吸引し、この吸引した検体を複数の容器へ所定量ずつ順次吐出していく方法（種まき分注）も考えられる。しかしながらこの場合には、吐出するたびに分注精度に違いが生じる可能性があり、上記第２の方法と同様に分注精度を適確に維持することが困難であった。
【０００８】
本発明は、上記に鑑みてなされたものであって、測定精度や分注精度を適確に維持しながら処理能力を向上させることができる自動分析装置の検体分注方法、自動分析装置、およびプログラムを提供することを目的とする。
【課題を解決するための手段】
【０００９】
上述した課題を解決し、目的を達成するために、請求項１記載の発明は、検体と試薬とを反応させることによって前記検体の成分を分析する自動分析装置において、細管状のプローブを用いて前記検体を分注する自動分析装置の検体分注方法であって、同一の検体を複数の異なる容器へ分注する場合、各分注動作の間に前記プローブの洗浄を行うことなく前記プローブによる分注を連続して行うことを特徴とする。
【００１０】
請求項２記載の発明は、請求項１記載の発明において、前記同一の検体を用いた一連の分注動作が終了した後、前記同一の検体がそれぞれ分注された前記複数の異なる容器内の液体に対する光学的な測定を一括して行うことを特徴とする。
【００１１】
本発明における「液体」には、微量の固体成分を含有する液体も含まれるものとする。
【００１２】
請求項３記載の発明は、検体と試薬とを反応させることによって前記検体の成分を分析する自動分析装置において、前記検体を分注する細管状のプローブを有し、同一の検体を複数の異なる容器へ分注する際、各分注動作の間に前記プローブの洗浄を受けることなく前記プローブによる分注を連続して行う検体分注手段を備えたことを特徴とする。
【００１３】
請求項４記載の発明は、請求項３記載の発明において、前記検体分注手段による前記同一の検体を用いた一連の分注動作が終了した後、前記同一の検体がそれぞれ分注された前記複数の異なる容器内の液体に対する光学的な測定を一括して行う測光手段をさらに備えたことを特徴とする。
【００１４】
本発明における「液体」には、微量の固体成分を含有する液体も含まれるものとする。
【００１５】
請求項５記載の発明に係るプログラムは、検体と試薬とを反応させることによって前記検体の成分を分析する自動分析装置に、請求項１または２に記載の自動分析装置の検体分注方法を実行させることを特徴とする。
【発明の効果】
【００１６】
本発明によれば、検体と試薬とを反応させることによって前記検体の成分を分析する自動分析装置において、細管状のプローブを用いて同一の検体を複数の異なる容器へ分注する場合、各分注動作の間に前記プローブの洗浄を行うことなく前記プローブによる分注を連続して行うことにより、測定精度や分注精度を適確に維持しながら処理能力を向上させることが可能となる。
【発明を実施するための最良の形態】
【００１７】
以下、添付図面を参照して本発明を実施するための最良の形態（以後、「実施の形態」と称する）を説明する。図１は、本発明の一実施の形態に係る自動分析装置要部の構成を模式的に示す図である。同図に示す自動分析装置１は、検体（試料）と試薬とを所定の容器にそれぞれ分注し、その容器内の液体に対して光学的な測定を行う測定機構１１と、この測定機構１１を含む自動分析装置１の制御を行うとともに測定機構１１における測定結果の分析を行う制御分析機構２１とを有し、これら二つの機構が連携することによって多数の検体の成分の生化学的な分析を自動的かつ連続的に行う装置である。なお、ここでいう「液体」には、微量の固体成分を含有する液体も含まれる。
【００１８】
最初に、自動分析装置１の測定機構１１について説明する。測定機構１１は、検体を収容する検体容器３１が搭載された複数のラック３２を収納して順次移送する検体移送部１２と、試薬容器４１を保持する試薬容器保持部１３と、検体と試薬とをそれぞれ分注して反応させる容器である反応容器５１を保持する反応容器保持部１４と、を備える。
【００１９】
また、測定機構１１は、検体移送部１２上の検体容器３１に収容された検体を反応容器５１に分注する検体分注部１５と、試薬容器保持部１３上の試薬容器４１に収容された試薬を反応容器５１に分注する試薬分注部１６と、反応容器５１の内部に収容された液体を攪拌する攪拌部１７と、反応容器５１内を通過した光の波長成分ごとの強度等を測定する測光部１８と、イオン交換水等から成る洗浄液を用いて反応容器５１の洗浄を行う洗浄部１９と、を備える。
【００２０】
検体容器３１には、その内部に収容する検体を識別する識別情報をバーコードまたは２次元コード等の情報コードにコード化して記録した情報コード記録媒体が貼付されている（図示せず）。同様に、試薬容器４１にも、その内部に収容する試薬を識別する識別情報を情報コードにコード化して記録した情報コード記録媒体が貼付されている（図示せず）。このため、測定機構１１には、検体容器３１に貼付された情報コードを読み取る情報コード読取部ＣＲ１と、試薬容器４１に貼付された情報コードを読み取る情報コード読取部ＣＲ２とが設けられている。
【００２１】
試薬容器保持部１３および反応容器保持部１４は、試薬容器４１および反応容器５１をそれぞれ収容保持するホイールと、このホイールの底面中心に取り付けられ、その中心を通る鉛直線を回転軸としてホイールを回転させる駆動手段とを有する（図示せず）。
【００２２】
各容器保持部内は一定の温度に保たれている。具体的には、試薬容器保持部１３内は、試薬の劣化や変性を抑制するために室温よりも低温に設定される一方、反応容器保持部１４内は、人間の体温と同程度の温度に設定される。
【００２３】
検体分注部１５は、検体の吸引や吐出を行う細管状のプローブ１５１と、プローブ１５１の鉛直方向の昇降および水平方向の回転を行うアーム１５２と、プローブ１５１を洗浄するプローブ洗浄部１５３と、吸排シリンジ等によって実現される吸排機構（図示せず）とを有する。また、試薬分注部１６も検体分注部１５と同様の構成を有しており、試薬の吸引や吐出を行うプローブ１６１と、プローブ１６１を移動するアーム１６２と、プローブ１６１を洗浄するプローブ洗浄部１６３と、図示しない吸排機構とを有する。なお、プローブ洗浄部１５３および１６３で使用する洗浄液は、洗浄部１９で使用する洗浄液と同じでよい。
【００２４】
測光部１８は、白色光を照射する光源と、反応容器５１を透過してきた白色光を分光する分光光学系と、分光光学系で分光した光を成分ごとに受光して電気信号に変換する受光素子とを有する。
【００２５】
なお、生化学的な分析を行う際には一つの検体に対して２種類の試薬を用いることが多いため、第１試薬用の試薬容器保持部１３と第２試薬用の試薬容器保持部１３とを別個に設けてもよい。この場合には、個々の試薬容器保持部１３に対応した試薬分注部１６を２個設ければよい。より一般には、試薬容器保持部１３や試薬分注部１６を複数個設けることもできる。
【００２６】
また、検体や試薬の分注後の適当なタイミングで複数の反応容器５１内の液体の攪拌を同時に行うために、攪拌部１７を複数個設けてもよい。
【００２７】
さらに、一般検体以外の各種検体（検量線作成用のスタンダード検体、精度管理検体、緊急検体、ＳＴＡＴ検体、再検査用検体等）をそれぞれ収容する複数の検体容器を保持する検体容器保持部を設けてもよい。この検体容器保持部は、検体分注部１５で分注可能な位置に形成されることが好ましい。
【００２８】
ところで、図１では、測定機構１１の主要な構成要素を模式的に示すことを主眼としているため、構成要素間の位置関係は必ずしも正確ではない。正確な構成要素間の位置関係は、試薬容器保持部１３の数や分注動作のインターバルにおける反応容器保持部１４のホイールの回転態様などの各種条件に応じて定められるべき設計的事項である。
【００２９】
次に、引き続き図１を参照して、自動分析装置１の制御分析機構２１について説明する。制御分析機構２１は、検体の分析に必要な情報や自動分析装置１の動作を指示する動作指示信号などを含む情報の入力を受ける入力部２２と、検体の分析に関する情報を出力する出力部２３と、測定機構１１における測定結果に基づいてデータ処理を行うデータ処理部２４と、検体の分析に関する情報や自動分析装置１に関する情報を含む各種情報を記憶する記憶部２５と、制御分析機構２１内の各機能または各手段の制御を行うとともに測定機構１１の駆動制御を行う制御部２６と、を備える。
【００３０】
入力部２２は、キーボードやマウスを有する。また、入力部２２として、トラックボール、トラックパッドなどのポインティングデバイスや、音声入力用のマイクロフォン等のユーザインターフェースをさらに具備してもよい。
【００３１】
出力部２３は、各種情報を表示する液晶、プラズマ、有機ＥＬ、ＣＲＴ等のディスプレイ装置を有する。また、出力部２３として、音声出力用のスピーカや、紙などに情報を印刷して出力するプリンタを具備させてもよい。
【００３２】
データ処理部２４は、測定機構１１の測光部１８から測定結果を受信し、この受信した測定結果のデータ処理を行う。ここでのデータ処理としては、測光部１８から送られてくる測定結果に基づいて反応液の吸光度を算出する吸光度算出処理や、この吸光度算出処理における算出結果と検量線や分析パラメータ等の各種情報とを用いて反応容器５１内の液体の成分を定量的に算出する成分量算出処理などが含まれる。また、データ処理として、前述した吸光度や成分の算出結果に対し、検体を識別する識別情報と反応容器保持部１４における反応容器５１の位置情報とを付与することによって分析データを生成する分析データ生成処理も含まれる。このようにして生成された分析データは、出力部２３から出力される一方、記憶部２５に書き込まれて記憶される。
【００３３】
記憶部２５は、さまざまな情報を磁気的に記憶するハードディスクと、自動分析装置１が処理を実行する際にその処理に係るプログラムをハードディスクからロードして電気的に記録するメモリとを用いて実現され、分析項目、検体情報、試薬の種類、検体や試薬の分注量、試料や試薬の有効期限、分析に使用する検量線に関する情報、各分析項目の参照値や許容値などのデータ処理部２４における演算に必要なパラメータや、データ処理部２４で生成した分析データなどを記憶、管理する。
【００３４】
記憶部２５が記憶するプログラムには、本実施の形態に係る自動分析装置の検体分注方法（後述）を自動分析装置１に実行させるプログラムも含まれる。また、記憶部２５は、フレキシブルディスク、ＣＤ−ＲＯＭ、ＤＶＤ−ＲＯＭ、フラッシュメモリ等のコンピュータ読み取り可能な記録媒体に記録された情報を読み取る補助記憶装置を具備してもよく、そのような記録媒体に対して前述したプログラムを記録しておくことも可能である。
【００３５】
制御部２６は、制御機能および演算機能を有するＣＰＵ（Central Processing Unit）等によって実現され、記憶部２５で記憶されるプログラムを記憶部２５から読み出すことによって自動分析装置１の各種動作の制御および演算を実行する。
【００３６】
以上の機能構成を有する制御分析機構２１は、一または複数のコンピュータを用いて実現される。このうち、制御分析機構２１が複数のコンピュータを用いて実現される場合には、制御分析機構２１が有する各機能を異なるコンピュータに適宜分散し、コンピュータ同士を直接接続するか、または通信ネットワーク（インターネット、イントラネット、専用回線網、ＬＡＮ、電話網、等）を介して相互に接続すればよい。
【００３７】
次に、本発明の一実施の形態に係る自動分析装置の検体分注方法を、図２に示すフローチャートを参照して説明する。なお、以下の説明においては、自動分析装置１が処理を実行するものとして説明を行うが、本実施の形態に係る自動分析装置の検体分注方法を実行する自動分析装置の構成は上述したものに限られるわけではない。
【００３８】
最初に、検体を分注するプローブ１５１をプローブ洗浄部１５３で洗浄する（ステップＳ１）。
【００３９】
その後、ステップＳ１で洗浄したプローブ１５１によって検体容器３１内の検体を吸引し（ステップＳ２）、プローブ１５１を反応容器保持部１４の検体分注位置Ｓへ移動し、その検体分注位置Ｓに位置する反応容器５１に所定量の検体を吐出する（ステップＳ３）。
【００４０】
自動分析装置１において一般検体の分析を行う場合、１回の分析処理の中で行う検査項目の総数は予め決まっている（以後、この検査項目の総数をＮとする）。このため、検体の分注回数が検査項目の総数Ｎに達し、それ以上検体の分注動作を行わない場合（ステップＳ４でＮｏ）には、検体分注処理を終了する。これに対して、検体の分注回数が検査項目の総数Ｎに達しておらず、次の検体分注動作を行う場合（ステップＳ４でＹｅｓ）には、その際に分注すべき検体が直前のステップＳ３で分注した検体と同一であるか否かに応じて処理を変更する。ここで検体の種別を判別する処理は、制御分析機構２１で行われる。具体的には、制御分析機構２１において、記憶部２５で予め記憶している検体情報と検査項目情報とを参照し、検体分注部１５で分注すべき検体の種別を判別する。
【００４１】
まず、制御分析機構２１における判定の結果、次に分注すべき検体が直前のステップＳ３で分注した検体と同一の検体である場合（ステップＳ５でＹｅｓ）を説明する。この場合、図３に示すように、直前のステップＳ３で分注した反応容器５１の隣に位置する反応容器５１が検体分注位置Ｓに来るように反応容器保持部１４を１ポイント分だけ歩進させ（ステップＳ６）、プローブ１５１を洗浄することなく検体の吸引処理（ステップＳ２）に戻る。したがって、直前に分注された検体を収容する反応容器５１は、ステップＳ６が終了した時点で測光部１８を通過しないため、光学的な測定が行われない。
【００４２】
続いて、制御分析機構２１における判定の結果、次に分注する検体が直前のステップＳ３で分注した検体と異なる検体である場合（ステップＳ５でＮｏ）を説明する。この場合には、図４に示すように、反応容器保持部１４を１周＋１ポイント分だけ回転させる（ステップＳ７）。その際、検体分注後の反応容器５１内の液体は、反応容器保持部１４が回転している間に測光部１８によって光学的な測定を受ける。ステップＳ７の後、ステップＳ１に戻ってプローブ１５１をプローブ洗浄部１５３で洗浄し、上述したステップＳ２以降の動作を繰り返す。
【００４３】
以上説明した検体分注処理によれば、同一の検体を分注する間は洗浄動作を行わずに分注動作を連続して行うため、プローブ１５１の洗浄に費やされる時間を短縮し、処理能力を向上させることができる。
【００４４】
なお、反応容器保持部１４のホイールが検体分注動作のインターバルで回転する回転量（位相のシフト量）は、必ずしも上述したものに限られるわけではなく、測定機構１１の構成やその他の条件に応じて適宜設定される。この意味で、本実施の形態に係る自動分析装置の検体分注方法においては、同一の検体を連続して分注する間、プローブ洗浄部１５３によるプローブ１５１の洗浄処理や測光部１８による反応容器５１内の液体の測光処理を行わなければよく、それ以外の点は前述した条件等に応じて変更可能である。
【００４５】
図５は、以上説明した検体分注処理の後、測光部１８で測定した結果に基づいてデータ処理部２４が行うデータ処理の概要を示すフローチャートである。データ処理部２４では、測光部１８における測定結果に基づいて吸光度や成分量を算出したとき、その算出結果に対して検体の識別情報と反応容器保持部１４における反応容器５１の位置情報とを付与することによって分析データを生成する。本実施の形態においては、検体の識別情報を反応容器５１の位置情報に加味した情報を算出結果に付与することとし、そのように付与する情報を測光ポイントＰn(m)と称する。ここで添え字ｍは、検体の種類を識別するためのパラメータである。また、添え字ｎは、１回の分析動作における検体の分注回数を与えるカウンタである。
【００４６】
まず、パラメータｍおよびカウンタｎをそれぞれ０と初期化する（ステップＳ１１）。
【００４７】
その後、測光部１８の測定結果に基づいて、測光ポイントＰn(m)にある反応容器５１に対するデータ処理（吸光度や成分の算出を含む）を行う（ステップＳ１２）。このステップＳ１２において１回目のデータ処理を行う際、対応する検体が分注された反応容器５１の位置がＰ0(0)と解釈されることはいうまでもない。
【００４８】
続いて、カウンタｎの値を１増やす（ステップＳ１３）。ｎは分注回数に対応しているため（ｎ＝分注回数−１）、０、１，２，・・・，Ｎ−１のいずれかの値をとる。ここでＮは、上述したように検査項目の総数である。
【００４９】
ステップＳ１３でｎの値を１増やしたとき、ｎ＝Ｎ−１となれば（ステップＳ１４でＹｅｓ）、分注した全ての検体に対応するデータ処理が終了したことになるため、一連の処理を終了する。
【００５０】
他方、ステップＳ１３でｎの値を１増やしたとき、依然としてｎ＜Ｎ−１である場合（ステップＳ１４でＮｏ）には、直前のステップＳ１２でデータ処理した検体とステップＳ１３でｎを１増やした後でデータ処理すべき検体とが同一の検体であるかを判定する。この判定を行う際には、予め記憶部２５で記憶している分析情報（例えば一つの検体に対する分析項目数等）を参照する。
【００５１】
上述した判定の結果、同一の検体である場合（ステップＳ１５でＹｅｓ）には、ステップＳ１２に戻り、新たなｎを用いて定義される測光ポイントＰn(m)に対応する反応容器５１のデータ処理を行う。他方、上述した判定の結果、同一の検体でない場合（ステップＳ１５でＮｏ）には、ｍの値を１増やし（ステップＳ１６）、ステップＳ１１に戻って新たなｍおよびｎを用いて定義される測光ポイントＰn(m)に対応する反応容器５１のデータ処理を行う。
【００５２】
図６は、以上説明したデータ処理によって定義される測光ポイントの構成例を示す図である。まず、３つの測光ポイントＰ0(0)、Ｐ1(0)およびＰ2(0)にそれぞれ位置する反応容器５１には同一の検体（ｍ＝０）が分注される。次の測光ポイントＰ3(1)に位置する反応容器５１には、その直前の測光ポイントＰ2(0)において分注された検体とは異なる検体（ｍ＝１）が分注される。その後の測光ポイントＰ4(2)に位置する反応容器５１には、直前の測光ポイントＰ3(1)における分注とは異なる検体（ｍ＝２）が分注され、続く測光ポイントＰ5(2)に位置する反応容器５１に対しても測光ポイントＰ4(2)と同一の検体が分注される。このようにして、各測光ポイントＰn(m)がデータ処理部２４において順次解釈され、その解釈されたデータが各々の吸光度や成分量の算出結果に対して付与される。
【００５３】
図６では、最後の測光ポイントがＰN-1(M)となっている。このことから明らかなように、図６においては、Ｎ回の分注動作において（Ｍ＋１）種類の検体が分注された場合を示している。また、図６に示す場合、隣接して同じｍの値を有する測光ポイントにそれぞれ位置する反応容器５１に検体を分注する間（Ｐ0(0)〜Ｐ1(0)間、Ｐ1(0)〜Ｐ2(0)間、およびＰ4(2)〜Ｐ5(2)間）は、プローブ洗浄部１５３によるプローブ１５１の洗浄が行われないことはいうまでもない。
【００５４】
なお、ここで説明した測光ポイントの定義はあくまでも一例であり、上述した検体分注処理（図２を参照）に適用可能であって測定機構１１における検体の測定結果と制御分析機構２１における分析結果とを正確に対応付けることができるものであれば、如何なる定義を採用しても構わない。
【００５５】
ところで、以上の説明では、検体の分注動作のみ説明してきたが、実際の分析では、検体の分注動作の前後の適当なタイミングで検査項目に応じた試薬が分注される。例えば、２種類の試薬を分注する場合には、第１試薬、検体、第２試薬の順に反応容器５１への分注が順次行われ、各分注の後に測光部１８による測定とデータ処理部２４における分析データの生成が行われる。
【００５６】
以上説明した本発明の一実施の形態によれば、検体と試薬とを反応させることによって前記検体の成分を分析する自動分析装置において、細管状のプローブを用いて同一の検体を複数の異なる容器へ分注する場合、各分注動作の間に前記プローブの洗浄を行うことなく前記プローブによる分注を連続して行うことにより、測定精度や分注精度を適確に維持しながら処理能力を向上させることが可能となる。
【００５７】
また、本実施の形態によれば、検体分注部の構成自体は従来と同じものを使用可能であり、多連プローブのような複雑で高価な装置構成を用いないで済むため、単純で経済的な装置構成によって自動分析装置の処理能力を向上させることができる。
【００５８】
ここまで、本発明を実施するための最良の形態を詳述してきたが、本発明は上記一実施の形態によってのみ限定されるべきものではなく、例えば本発明を、検体の免疫学的な分析を行う自動分析装置に対して適用することも可能である。このように、本発明は、ここでは記載していないさまざまな実施の形態等を含みうるものであり、特許請求の範囲により特定される技術的思想を逸脱しない範囲内において種々の設計変更等を施すことが可能である。
【図面の簡単な説明】
【００５９】
【図１】本発明の一実施の形態に係る自動分析装置要部の構成を模式的に示す図である。
【図２】本発明の一実施の形態に係る自動分析装置の検体分注方法の処理の概要を示すフローチャートである。
【図３】直前に分注した検体と同一の検体を分注する場合の反応容器保持部の回転態様を模式的に示す図である。
【図４】直前に分注した検体と異なる検体を分注する場合の反応容器保持部の回転態様を模式的に示す図である。
【図５】本発明の一実施の形態に係る自動分析装置の検体分注方法における検体分注処理に続いて行われるデータ処理の概要を示すフローチャートである。
【図６】データ処理の際に定義される測光ポイントの構成例を模式的に示す図である。
【符号の説明】
【００６０】
１  自動分析装置
１１      測定機構
１２  検体移送部
１３  試薬容器保持部
１４  反応容器保持部
１５  検体分注部（検体分注手段）
１６  試薬分注部
１７  攪拌部
１８  測光部（測光手段）
１９  洗浄部
２１  制御分析機構
２２  入力部
２３  出力部
２４  データ処理部
２５  記憶部
２６  制御部
３１  検体容器
３２  ラック
４１  試薬容器
５１  反応容器
１５１、１６１  プローブ
１５２、１６２  アーム
１５３、１６３  プローブ洗浄部
ＣＲ１、ＣＲ２  情報コード読取部
Ｐ0(0)、Ｐ 1(0)、Ｐ2(0)、Ｐ 3(1)、Ｐ 4(2)、Ｐ5(2)、ＰN(M-1)  測光ポイント
Ｓ  検体分注位置
【図１】
2007263752.tif 000003
【図２】
2007263752.tif 000004
【図３】
2007263752.tif 000005
【図４】
2007263752.tif 000006
【図５】
2007263752.tif 000007
【図６】
2007263752.tif 000008